(57)【要約】【課題】ワイヤハーネスを所望する角度に規制するとともに部品管理の効率がよい経路規制具を提供する。【解決手段】経路規制具１は、第１プレート本体部１１及び第１プレート本体部１１に突設される係合筒部１３を有する第１プレート１０と、第２プレート本体部２１及び第２プレート本体部２１に突設される係合柱部２３を有する第２プレート２０と、を備える。係合筒部１３及び係合柱部２３は、非係合状態で互いの係合角度を調整できる係合角度調整機能と、係合状態で互いの係合角度を保持する係合角度保持機能とを有する。第１プレート１０及び第２プレート２０は、第１プレート本体部１１と第２プレート本体部２１との間にワイヤハーネスが介在された状態で、係合筒部１３及び係合柱部２３を通じて係合される。【選択図】図１
2018196278.tif 000002
【特許請求の範囲】
【請求項１】
ワイヤハーネスと固定される第１プレート本体部及び前記第１プレート本体部に設けられる第１係合部を有する第１プレートと、
前記ワイヤハーネスと固定される第２プレート本体部及び前記第２プレート本体部に設けられる第２係合部を有する第２プレートと、を備え、
前記第１係合部及び前記第２係合部は、非係合状態で互いの係合角度を調整できる係合角度調整機能と、係合状態で互いの係合角度を保持する係合角度保持機能とを有し、
前記第１プレート及び前記第２プレートは、前記第１プレート本体部と前記第２プレート本体部との間に前記ワイヤハーネスが介在された状態で、前記第１係合部及び前記第２係合部を通じて係合される経路規制具。
【請求項２】
請求項１に記載の経路規制具において、
前記第１係合部は、前記第１プレート本体部の板面と交差する方向に延びる係合筒部であって、
前記係合筒部の軸方向から見た筒内形状は、前記軸方向周りに回転させたとき径の異なる複数の回転軌跡を描ける形状であり、
前記第２係合部は、前記第２プレート本体部の板面と交差する方向に延びて前記係合筒部に挿入される係合柱部であって、
前記係合柱部の軸方向から見た形状は、前記係合筒部の筒内形状と相似である経路規制具。
【請求項３】
請求項２に記載の経路規制具において、
前記係合筒部は、第１プレート本体部の縁部との間の距離が少なくとも前記ワイヤハーネスの外形寸法よりも長く設定される位置に設けられる経路規制具。
【発明の詳細な説明】
【技術分野】
【０００１】
本発明は、ワイヤハーネスの経路規制具に関するものである。
【背景技術】
【０００２】
特許文献１には、Ｌ字状に折り曲げられたワイヤハーネスと固定されることにより、当該ワイヤハーネスをＬ字状に折り曲げられた状態に維持させるＬ字型のクランプが開示されている。
【先行技術文献】
【特許文献】
【０００３】
【特許文献１】特開２００２−３１５１６２号公報
【発明の概要】
【発明が解決しようとする課題】
【０００４】
特許文献１のようなクランプは、搭載する車両等のレイアウトに合わせてワイヤハーネスの経路を規制するために使用される。このため、レイアウトに合わせて形状が異なる多数のクランプを用意する必要があり、部品管理の効率が悪かった。
【０００５】
本発明の目的は、ワイヤハーネスを所望する角度に規制するとともに部品管理の効率がよい経路規制具を提供することにある。
【課題を解決するための手段】
【０００６】
上記課題を解決するために、経路規制具は、ワイヤハーネスと固定される第１プレート本体部及び前記第１プレート本体部に設けられる第１係合部を有する第１プレートと、
前記ワイヤハーネスと固定される第２プレート本体部及び前記第２プレート本体部に設けられる第２係合部を有する第２プレートと、を備え、前記第１係合部及び前記第２係合部は、非係合状態で互いの係合角度を調整できる係合角度調整機能と、係合状態で互いの係合角度を保持する係合角度保持機能とを有し、前記第１プレート及び前記第２プレートは、前記第１プレート本体部と前記第２プレート本体部との間に前記ワイヤハーネスが介在された状態で、前記第１係合部及び前記第２係合部を通じて係合される。
【０００７】
この構成によれば、第１係合部及び第２係合部が係合角度調整機能と係合角度保持機能とを有しているで、第１プレート本体部と第２プレート本体部とを所望の角度に保持することができる。すなわち、これら第１プレート本体部及び第２プレート本体部の両者に固定されるワイヤハーネスを所望の角度に折り曲げた状態で固定することができる。この構成の経路規制具は、従来のように、所望する角度毎の経路規制具（クランプ）を必要としないので、部品管理の効率が向上する。また、この構成の経路規制具によれば、ワイヤハーネスは、第１プレート本体部と第２プレート本体部との間に介在されているので、複数の方向に対して、外部部品と接触しにくい、すなわち保護されている。
【０００８】
上記構成において、前記第１係合部は、前記第１プレート本体部の板面と交差する方向に延びる係合筒部であって、前記係合筒部の軸方向から見た筒内形状は、前記軸方向周りに回転させたとき径の異なる複数の回転軌跡を描ける形状であり、前記第２係合部は、前記第２プレート本体部の板面と交差する方向に延びて前記係合筒部に挿入される係合柱部であって、前記係合柱部の軸方向から見た形状は、前記係合筒部の筒内形状と相似である。
【０００９】
この構成によれば、係合筒部の筒内形状と係合柱部の外形形状が互いに相似であり、且つ軸方向に回転させたときに径の異なる複数の回転軌跡を描ける形状であるため、これら両者が係合することにより、第１プレート本体部と第２プレート本体部とを所望の角度に保持することができる。
【００１０】
上記構成において、前記係合筒部は、第１プレート本体部の縁部との間の距離が少なくともワイヤハーネスの直径よりも長く設定される位置に設けられる。
この構成によれば、係合筒部を支点としてワイヤハーネスを折り曲げることができる。その際、ワイヤハーネスは、その径方向において第１プレート本体部からはみ出さない。これにより、ワイヤハーネスは、外部部品と接触しにくい。
【発明の効果】
【００１１】
本発明の経路規制具によれば、ワイヤハーネスを所望する角度に規制することができるとともに、部品管理の効率が向上する。
【図面の簡単な説明】
【００１２】
【図１】経路規制具の分解斜視図。
【図２】ワイヤハーネスを規制した状態の経路規制具の斜視図。
【図３】ワイヤハーネスの規制手順を示す経路規制具の平面図。
【図４】ワイヤハーネスの規制角度が変更可能であることを示す経路規制具の斜視図。
【図５】経路規制具の別例を示す分解斜視図。
【図６】経路規制具の別例を示す斜視図。
【発明を実施するための形態】
【００１３】
以下、経路規制具の一実施形態を、図面を参照して説明する。なお、Ｘ，Ｙ，Ｚ方向は互いに直交する方向である。
図１に示すように経路規制具１は、第１プレート１０と第２プレート２０とを備える。
【００１４】
第１プレート１０は、第１プレート本体部１１と、第１プレート本体部１１に連続する第１プレート縁部１２と、第１プレート本体部１１に突設される係合筒部１３とを備える。なお、係合筒部１３が、第１係合部に相当する。
【００１５】
第１プレート本体部１１は、Ｘ方向を長手方向、Ｙ方向を短手方向、Ｚ方向を板厚方向とされた長方形状の板材であって、その短手方向寸法は、ワイヤハーネス２の直径と、係合筒部１３の外接円直径とを足し合わせた寸法よりも長く設定されている。
【００１６】
第１プレート縁部１２は、第１プレート本体部１１の長手方向の一方の縁部であって、そのＹ方向寸法は、第１プレート本体部１１のＹ方向寸法（短手方向）よりも長く設定されている。
【００１７】
係合筒部１３は、第１プレート本体部１１のＸＹ方向に拡がる板面に突設されるものであって、Ｚ方向から見たとき内形及び外形がともに正六角形とされた六角筒である。係合筒部１３は、第１プレート本体部１１のＹ方向の一方の縁部との間の距離が、少なくともワイヤハーネス２の直径分確保される位置に設けられている。なお、係合筒部１３の中心軸Ｏ１と第１プレート本体部１１のＹ方向の一方の縁部との間の距離をＬとする。また、係合筒部１３の突設寸法（Ｚ方向寸法）は、ワイヤハーネス２の直径と等しく設定されている。
【００１８】
第２プレート２０は、第２プレート本体部２１と、第２プレート本体部２１に連続する第２プレート縁部２２と、第２プレート本体部２１に突設される係合柱部２３とを備える。なお、係合柱部２３が、第２係合部に相当する。
【００１９】
第２プレート本体部２１は、Ｘ方向を短手方向、Ｙ方向を長手方向、Ｚ方向を板厚方向とされた長方形状の板材であって、その短手方向寸法は、ワイヤハーネス２の直径と、係合筒部１３の外接円直径とを足し合わせた寸法よりも長く設定されている。なお、第２プレート本体部２１の短手方向、長手方向、及び板厚方向の各寸法は、それぞれ第１プレート本体部１１の短手方向、長手方向、及び板厚方向の各寸法と等しく設定されている。
【００２０】
第２プレート縁部２２は、第２プレート本体部２１の長手方向の一方の縁部であって、そのＸ方向寸法は、第２プレート本体部２１のＸ方向寸法（短手方向）よりも長く設定されている。第２プレート縁部２２のＸ方向寸法は、第１プレート縁部１２のＹ方向寸法と等しく設定されている。
【００２１】
すなわち、第２プレート本体部２１及び第２プレート縁部２２は、向きが異なるだけで、第１プレート本体部１１及び第１プレート縁部１２と同様の構成とされている。
係合柱部２３は、第２プレート本体部２１のＸＹ方向に拡がる板面に突設されるものであって、Ｚ方向から見たとき外形が正六角形とされた六角柱である。なお、Ｚ方向から見たときの係合柱部２３の外形寸法は、同じくＺ方向から見たときの係合筒部１３の内形寸法よりも若干短く設定されている。したがって、係合柱部２３は、係合筒部１３の筒内へ挿入が許容されている。
【００２２】
係合柱部２３の中心軸Ｏ２と第２プレート本体部２１のＸ方向の一方の縁部との間の距離はＬに設定されている。また、係合柱部２３の突設寸法（Ｚ方向寸法）は、係合筒部１３の突設寸法並びにワイヤハーネス２の直径と等しく設定されている。
【００２３】
次に、経路規制具１によるワイヤハーネス２の経路規制手順について説明する。
まず、図３に示すように、ワイヤハーネス２を、第１プレート１０を構成する第１プレート本体部１１の長手方向に沿って載置するとともに、第１プレート本体部１１と第１プレート縁部１２との境界部付近で第１プレート本体部１１とともに接着テープ３により巻回されることにより、当該第１プレート本体部１１に固定される。
【００２４】
なお、ワイヤハーネス２のうち、第１プレート本体部１１に固定される部分及び第１プレート縁部１２側に延びる部分を、とくにワイヤハーネス２ａと規定する。一方、ワイヤハーネス２のうち、第１プレート本体部１１から第１プレート縁部１２と反対側に延びる部分を、とくにワイヤハーネス２ｂと規定する。
【００２５】
次に、第１プレート１０に第２プレート２０を取り付ける。具体的には、第１プレート１０を構成する係合筒部１３に、第２プレート２０を構成する係合柱部２３を挿入する。このとき、第１プレート１０と第２プレート２０とが所望する角度（係合角度）となるように、係合柱部２３を係合筒部１３に挿入する。係合柱部２３及び係合筒部１３は、軸方向（Ｚ方向）から見たとき六角形であるから、先の挿入により、第１プレート１０と第２プレート２０との間の相対回転が不能となる。すなわち、係合筒部１３及び係合柱部２３は、互いの離間時に（即ち非係合状態で）係合角度調整機能を有し、互いの係合時に（即ち係合状態で）係合角度保持機能を有する。
【００２６】
次に、ワイヤハーネス２のうちワイヤハーネス２ｂを係合筒部１３の外周面に沿って折り曲げる。係合筒部１３を支点としてワイヤハーネス２を折り曲げるので、折り曲げる位置や折り曲げ量の調整が容易である。こうして、ワイヤハーネス２ｂは、図３に一点鎖線で示す状態から実線で示す状態に折り曲げられて、第２プレート２０を構成する第２プレート本体部２１の長手方向に沿う状態となる。
【００２７】
そして、ワイヤハーネス２ｂは、第２プレート本体部２１と第２プレート縁部２２との境界部付近で第２プレート本体部２１とともに接着テープ４により巻回されることにより、当該第２プレート本体部２１に固定される。すなわち、ワイヤハーネス２は、全体として第１プレート本体部１１と第２プレート本体部２１との間に介在される。
【００２８】
以上の工程を経ることにより、図２に示すように、ワイヤハーネス２は、互いに相対回転不能とされた第１プレート１０及び第２プレート２０に固定されているので、折り曲げられた状態に維持される。
【００２９】
次に、本実施形態の効果を記載する。
（１）本例の経路規制具１を使用すれば、図４に示すように、係合筒部１３に挿入する前の係合柱部２３の回転位置を変化させることにより、ワイヤハーネス２ａとワイヤハーネス２ｂとのなす角度を同図４中の一点鎖線や二点鎖線で示すように変化させることができる（係合角度調整機能）。そして、係合筒部１３を係合柱部２３に挿入させる、すなわち、係合させることにより、ワイヤハーネス２を所望する角度に折り曲げた状態で固定することができる（係合角度保持機能）。言い換えれば、従来のように、所望する角度毎の経路規制具（クランプ）を必要としないので、部品管理の効率がよい。
【００３０】
（２）本例の経路規制具１を使用すれば、ワイヤハーネス２は、全体として第１プレート本体部１１と第２プレート本体部２１との間に介在される。すなわち、ワイヤハーネス２のＺ方向両側に第１プレート１０及び第２プレート２０が位置する。これにより、ワイヤハーネス２は、Ｚ方向に位置する外部部品と接触しにくいという保護効果も得られる。
【００３１】
（３）第１プレート本体部１１に突設される係合筒部１３と、第１プレート本体部１１のＹ方向の一方の縁部との間の距離を、少なくともワイヤハーネス２の直径分確保するように設定した。また、係合柱部２３の中心軸Ｏ２と第２プレート本体部２１のＸ方向の一方の縁部との間の距離Ｌが、係合筒部１３の中心軸Ｏ１と第１プレート本体部１１のＹ方向の一方の縁部との間の距離Ｌと等しくなるように係合柱部２３を設定した。これにより、ワイヤハーネス２の係合筒部１３に沿って折り曲げられた部位は、Ｚ方向から見たとき、第１プレート本体部１１及び第２プレート本体部２１のＸ方向及びＹ方向の縁部内側に位置するので、Ｘ方向及びＹ方向に位置する外部部品と接触しにくいという効果も得られる。
【００３２】
（４）係合筒部１３を支点としてワイヤハーネス２を折り曲げるので、折り曲げる位置や折り曲げ量の調整が容易である。
なお、上記実施形態は、以下のように変更してもよい。
【００３３】
・上記実施形態では、係合筒部１３の中心軸Ｏ１と第１プレート本体部１１の短手方向縁部及び長手方向縁部との間の距離がＬとなるように設定したが、次のように設定してもよい。
【００３４】
すなわち、図５に示すように、第３プレート３０は、第３プレート本体部３１の長手方向中央部に係合筒部１３と同様の構成の係合筒部３３を備える。なお、第３プレート本体部３１の短手方向縁部と係合筒部３３との間の距離は、上記実施形態と同様に設定する。そして、第３プレート３０に上記実施形態の第２プレート２０を取り付け、経路規制具５を構成する。
【００３５】
このような経路規制具５を構成することにより、図６に示すように、ワイヤハーネス幹線６ａからワイヤハーネス枝線６ｂが分岐するワイヤハーネス６の分岐部分を、経路規制具５により規制することができる。
【００３６】
なお、経路規制具５も上記実施形態と同様に、第３プレート３０に対する第２プレート２０の取り付け角度を変更することができる。したがって、経路規制具５は、ワイヤハーネス幹線６ａとワイヤハーネス枝線６ｂとのなす角度が様々なワイヤハーネス６に適用することができる。
【００３７】
・上記別例において、図６に示すように、第３プレート３０は、第３プレート本体部３１の長手方向両縁部に上記実施形態の第１プレート縁部１２と同様の構成の第３プレート縁部３２を備える。そして、ワイヤハーネス幹線６ａを、第３プレート縁部３２と第３プレート本体部３１との境界部付近で第３プレート本体部３１とともに接着テープにより巻回することにより、当該第３プレート本体部３１に固定した。
【００３８】
これにより、接着テープが第３プレート縁部３２により第３プレート本体部３１の長手方向に変位しにくくなるので、ワイヤハーネス幹線６ａと第３プレート本体部３１との間も変位しにくくなる。
【００３９】
しかしながら、第３プレート縁部３２を省略しても、経路規制具５としての効果は得られる。
・上記実施形態において、上記別例と同様に第１プレート縁部１２及び第２プレート縁部２２を省略してもよい。
【００４０】
・上記実施形態において、係合筒部１３は、六角筒であったが、三角筒、四角筒などの他の多角筒であってもよい。係合筒部１３は、軸方向から見たときの形状が、星形や楕円、さらには２つの円を組み合わせた形状のように、軸方向に回転させたときに径の異なる複数の回転軌跡を描ける形状であればよい。
【００４１】
係合筒部１３に挿入される係合柱部２３は、係合筒部１３の筒内形状と相似形状であることが好ましいが、係合筒部１３の筒内と係合することにより、相対回転不能となる形状であれば適宜変更してもよい。言い換えると、係合筒部１３の軸方向から見た筒内形状と係合柱部２３の軸方向から見た形状とは、係合柱部２３を係合筒部１３に（挿入方向周りに）異なる角度で挿入可能で、その挿入した状態で挿入した際の角度を保持可能な（挿入方向周りに係合する）形状であれば変更してもよい。
【００４２】
なお、本例の係合筒部１３は、外形も六角形であったが、外形形状は、筒内形状と相似形状である必要はなく、適宜変更してもよい。
・上記実施形態において、係合筒部１３及び係合柱部２３の突設寸法は、それぞれワイヤハーネス２の直径とされたが、係合筒部１３の突設寸法と係合柱部２３の突設寸法との合計がワイヤハーネス２の直径よりも長ければよい。
【００４３】
・上記実施形態において、係合筒部１３は、第１プレート本体部１１に対して直交するＺ方向に延びていたが、Ｚ方向に対して交差する方向に延びていてもよい。なお、係合柱部２３も同様に第２プレート本体部２１に対して直交するＺ方向ではなく、当該Ｚ方向に対して交差する方向に延びていてもよい。
【００４４】
・上記実施形態において、第１プレート本体部１１及び第２プレート本体部２１は、平板材であったが、湾曲板材などであってもよい。
・上記実施形態において、ワイヤハーネス２は、第１プレート１０に固定された状態で折り曲げられた後、第２プレート２０に固定されたが、先に折り曲げられた後、第１プレート１０及び第２プレート２０に固定されてもよい。
【００４５】
・上記した実施形態並びに各変形例は適宜組み合わせてもよい。
【符号の説明】
【００４６】
Ｏ１，Ｏ２…中心軸
１，５…経路規制具
２，２ａ，２ｂ，６…ワイヤハーネス
３，４…接着テープ
６ａ…ワイヤハーネス幹線
６ｂ…ワイヤハーネス枝線
１０…第１プレート
１１…第１プレート本体部
１２…第１プレート縁部
１３…係合筒部（第１係合部）
２０…第２プレート
２１…第２プレート本体部
２２…第２プレート縁部
２３…係合柱部（第２係合部）
３０…第３プレート
３１…第３プレート本体部
３２…第３プレート縁部
３３…係合筒部（第１係合部）
【図１】
2018196278.tif 000003
【図２】
2018196278.tif 000004
【図３】
2018196278.tif 000005
【図４】
2018196278.tif 000006
【図５】
2018196278.tif 000007
【図６】
2018196278.tif 000008